(57)【要約】【課題】棚上に陳列される商品を効果的に照明することができるショーケースを提供する。【解決手段】本発明のショーケース１は、陳列室１１内に架設した棚３０上に商品を陳列するものであって、棚３０の前端部に立設された商品落下防止用のガード３５と、このガード３５の下側に配設され、ＬＥＤ素子５６を有する棚ＬＥＤ照明装置５０とを備え、ガード３５は透光性の板材から成り、ＬＥＤ照明装置５０からの光を、上端部３５Ｂより棚３０上の商品に向けて照射する。【選択図】図５
2010082115.tif 000002
【特許請求の範囲】
【請求項１】
陳列室内に架設した棚上に商品を陳列するショーケースにおいて、
前記棚の前端部に立設された商品落下防止用のガードと、
該ガードの下側に配設され、ＬＥＤ素子を有するＬＥＤ照明装置とを備え、
前記ガードは透光性の板材から成り、前記ＬＥＤ照明装置からの光を、上端部より前記棚上の商品に向けて照射することを特徴とするショーケース。
【発明の詳細な説明】
【技術分野】
【０００１】
本発明は、前面が開口する陳列室内に架設した棚上に商品を陳列するショーケースに関するものであって、特に、当該棚上の照明に関するものである。
【背景技術】
【０００２】
従来より、この種のショーケースは、例えば特許文献１に示すように、前面に開口する陳列室内に商品陳列用の複数段の棚装置が架設されており、各棚装置の下面前部及び陳列室の開口上部には、陳列室内を照明するための蛍光灯などの照明装置がそれぞれ取り付けられている。
【０００３】
また、各蛍光灯の上側には例えば白色に塗装された鋼板製の反射板が取り付けられている。この反射板は複数箇所を屈曲されることにより、蛍光灯の上方を略囲繞するように設けられ、蛍光灯から発せられた光のうち上方に向かう光を下方に向けて反射させる。これにより、下方の各棚上の商品をより明るく照明していた。
【０００４】
また、これ以外にも、照明装置としてＬＥＤ素子を複数備えたＬＥＤ照明装置を棚板の下面前部に取り付け、これにより、当該照明装置が設けられる下側の棚装置上を照明するショーケースが開発されている。
【特許文献１】特開２００２−３９６７２号公報
【発明の開示】
【発明が解決しようとする課題】
【０００５】
しかしながら、従来の棚に設けられる照明装置では、当該棚に設けられる反射板を用いても、当該照明装置が設けられる棚の下方に設けられる棚上や底板上にしか照射光を向けることができない。
【０００６】
そのため、棚上に陳列される商品は、上前方からのみ照明することとなる。しかし、ショーケース内に架設される棚装置がそれぞれ所定角度にて前下がりに傾斜して架設される場合には、上側に架設される棚前部下面に設けられる照明装置では、その下側に架設される棚上前部に陳列される商品のフェース面を効果的に照明することができないという問題がある。
【０００７】
また、棚上に陳列される商品によっては、ＰＯＰ等の商品促進表示部材を棚に設けて他の商品より目立たせて陳列することにより促進販売が行われる場合がある。
【０００８】
しかしながら、従来のショーケースでは、キャノピーの内側に設けられる照明装置や、各棚の前部下面に設けられる照明装置によって、棚上を一様に照明するものであった。
【０００９】
本発明は、従来の技術的課題を解決するためになされたものであり、棚上に陳列される商品を効果的に照明することができるショーケースを提供する。
【課題を解決するための手段】
【００１０】
本発明のショーケースは、陳列室内に架設した棚上に商品を陳列するものであって、棚の前端部に立設された商品落下防止用のガードと、該ガードの下側に配設され、ＬＥＤ素子を有するＬＥＤ照明装置とを備え、ガードは透光性の板材から成り、ＬＥＤ照明装置からの光を、上端部より棚上の商品に向けて照射することを特徴とする。
【発明の効果】
【００１１】
本発明によれば、陳列室内に架設した棚上に商品を陳列するショーケースにおいて、棚の前端部に立設された商品落下防止用のガードと、該ガードの下側に配設され、ＬＥＤ素子を有するＬＥＤ照明装置とを備え、ガードは透光性の板材から成り、ＬＥＤ照明装置からの光を、上端部より棚上の商品に向けて照射することにより、ガードの下側に配設されたＬＥＤ照明装置から照射され、ガードを透過した光によって棚上の前部に陳列される商品のフェース面を効果的に照明することが可能となる。
【００１２】
これにより、棚の前端部に設けられるガードから照射される光によって、棚上前部に載置された商品を前下方からスポットライトとして照明することが可能となるため、陳列効果の向上を図ることが可能となる。
【００１３】
また、ＬＥＤ照明装置は、ガードの下側に格納されているため、外観に露出しない構成とすることができ、ショーケース全体の美感向上を図ることが可能となる。
【発明を実施するための最良の形態】
【００１４】
次に、図面を参照して本発明の実施形態について詳述する。図１は本発明を適用したショーケース１の斜視図、図２は図１のショーケース１の縦断側面図をそれぞれ示している。ショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１５】
ショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板を構成する背部仕切板の下端前方には、底板９が断熱壁２の底壁２Ａとの間にダクト用の間隔を存して取り付けられており、これら仕切板４及び底板９の内側を陳列室１１としている。
【００１６】
また、この陳列室１１内には、高さ及び取付角度が変更可能であると共に、陳列室１１内背部の図示しない支柱に取り付けられる一対のブラケット３１及びこれらと共に棚３０を構成する棚板３２が複数段に渡って架設されている。
【００１７】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００１８】
一方、底板９下方後部には断熱壁２の底壁２Ａ上に前記内層ダクト及び外層ダクトのそれぞれに対応する図示しない送風機が複数台設置されている。
【００１９】
背部仕切板（仕切板４）後方の内層ダクト内には冷却装置の図示しない冷却器が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２０】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２１】
一方、断熱壁２の下側前壁２Ｃの上面には、ショーケース１の開口１２下縁の全幅に渡って設けられるハンドレール２０が取り付けられる。この前壁２Ｃの前面には、ハンドレール２０と連続するように前面下パネル２１が取り付けられ、該前面下パネル２１の下方には前面下パネル２１と略面一となるようにバンパー２２が取り付けられる。
【００２２】
次に、断熱壁２の天壁２Ｂ前部の構成について説明する。尚、図３は開口上ＬＥＤ照明装置４０の概略構成図である。断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。尚、キャノピー３３の前面には図１に示されるように温度表示部３８が設けられている。
【００２３】
この反射板４５は、化粧塗装が施された金属板にて構成されており、前部には、長手方向に渡って延在する開口上ＬＥＤ照明装置４０が両端に設けられる照明取付部材４１によって固定されている。この開口上ＬＥＤ照明装置４０は、図３に示すように複数のＬＥＤ照明部材４６が左右に渡って並設されることにより構成されている。
【００２４】
このＬＥＤ照明部材４６は、複数のＬＥＤ素子４３が配設された基板４２により構成されており、当該基板４２は前面開口１２の長手方向に渡って（本実施例では左右方向に渡って）構成される熱良導性の取付板４４に固定されている。それぞれの基板４２は長手方向に延在して構成されており、当該基板４２には、所定間隔を存して複数のＬＥＤ素子４３が取り付けられている。本実施例において、ＬＥＤ素子４３は、チップタイプの白色のＬＥＤ素子である。
【００２５】
本実施例において、当該ＬＥＤ照明部材４６は、約１尺程度の長さに構成されている。本実施例におけるオープンショーケースは、前面開口（間口）寸法が４尺〜１２尺程度であるため、キャノピー３３の内側に設けられる反射板４５には、当該前面開口寸法に合わせて当該ＬＥＤ照明部材４６が４個〜１２個（複数個）左右渡って並設される。
【００２６】
そして、各ＬＥＤ照明部材４６は、下側から囲繞するかたちで取り付けられる透光性のシェード４７によってカバーされる。
【００２７】
また、本実施例では、当該開口上ＬＥＤ照明装置４０と略同一の構成とされる上部ＬＥＤ照明装置４８が、仕切板４の天壁部であって、内層吐出口１６の後方、且つ、陳列室１１前部上方に位置して設けられている。
【００２８】
係る構成により、各開口上ＬＥＤ照明装置４０及び各上部ＬＥＤ照明装置４８が点灯されると、各シェード４７において拡散された後のそれぞれのＬＥＤ素子４３の照射光により、陳列室１１の外側に位置する上前方から及び、陳列室１１内に位置する上前部から効果的に陳列室１１内全体を照明することが可能となる。
【００２９】
次に、図４及び図５を参照して、各棚３０の構成及び当該棚３０前端部に設けられる棚ＬＥＤ照明装置５０について説明する。図４は棚ＬＥＤ照明装置５０の概略構成図、図５は棚ＬＥＤ照明装置５０の概略側面図をそれぞれ示している。
【００３０】
本実施例の棚３０を構成する棚板３２は、前縁を下方に略垂直に折曲して構成された前壁３２Ａと、この前壁３２Ａの下端から略直角に後方に折曲された図示しない後向きのフランジとを有する塗装鋼板により構成されている。
【００３１】
棚板３２の前縁には、硬質合成樹脂により成形され、当該棚板３２の装飾体を兼用するプライスレール３４が取り付けられている。係るプライスレール３４は、棚板３２の前面に位置する前壁部３６と、この前壁部３６の下端から後方に水平に延びる連壁部３７と、この連壁部３７の後端に連結され、全体として後上がりに傾斜する後壁部３９とから構成されている。
【００３２】
前記前壁部３６は凹状に湾曲しており、その上縁前面及び下縁に沿って棚板３２に載置された商品の品名や価格等を記載した紙又は樹脂シートからなる図示しない表示カードを係脱自在に保持する係止片が形成されている。
【００３３】
また、この後壁部３９には棚板３２の前記フランジを嵌合するための前向きの嵌合溝５１が形成されている。そして、前壁部３６と連壁部３７とにより構成される角隅部には、棚３０の幅寸法に渡って、照明装置収容部５２が形成されている。この照明装置収容部５２を形成する連壁部３７の上面と所定間隔を存する位置にガード３５の下端を立設すべく、当該プライスレール３４内や棚板３２の前壁３２Ａには、内方に突出する段差５３が形成されている。
【００３４】
これにより、棚板３２の前壁３２Ａとプライスレール３４の前壁部３６との間に形成される凹所５４には、棚板３２上の商品が落下することを防止するためのガード３５が立設される。
【００３５】
そして、プライスレール３４の連壁部３７上に形成され、且つ、商品落下防止用のガード３５の下側に位置する照明装置収容部５２に、棚ＬＥＤ照明装置５０が配設される。本実施例では、オープンショーケースの前面開口（間口）寸法が４尺〜１２尺程度であるのに対し、当該棚ＬＥＤ照明装置５０は、約１尺程度の長さに構成されている。そのため、当該棚ＬＥＤ照明装置５０を棚３０の左右寸法（幅寸法）に応じて複数個並設してもよい。
【００３６】
棚ＬＥＤ照明装置５０は、図４に示すようにＬＥＤ素子５６が配設された基板５７と、当該基板５７が取り付けられる熱良導性の取付板５８により構成されている。基板５７は長手方向に延在して構成されており、当該基板５７には、所定間隔を存して複数のＬＥＤ素子５６が配設されている。本実施例において、ＬＥＤ素子５６は、上記ＬＥＤ素子４３と同様にチップタイプの白色のＬＥＤ素子である。
【００３７】
そして、係る構成の棚ＬＥＤ照明装置５０は、ＬＥＤ素子５６からの照射光が上方に位置するガード３５の下端面に向けて照射されるように、本実施例では、上方に向けて照明装置収容部５２内に配設される。
【００３８】
尚、当該棚ＬＥＤ照明装置５０が配設される照明装置収容部５２には、棚３０の幅寸法に渡って当該ＬＥＤ照明装置５０のＬＥＤ素子５６に給電を行うための図示しない電極が配設されている。この電極には、プライスレール３４の下部後端より後方に引き出された図示しない配線が接続されており、当該配線は、棚板３２の内部下面に沿ってショーケース１の本体にまで引き出されている。
【００３９】
そのため、当該ＬＥＤ照明装置５０を照明装置収容部５２内に収容することにより、ＬＥＤ照明装置５０の図示しない端子が当該電極に当接して、棚３０の幅寸法におけるいずれの場所においても容易に給電が可能とされている。
【００４０】
一方、上述した如きガード３５は、透光性を有する透明なガラス或いはアクリル樹脂板等の板材から構成されている。当該ガード３５は、導光板としての機能を奏するため、下方に配設される棚ＬＥＤ照明装置５０の各ＬＥＤ素子５６からの光を入射する下端面３５Ａ（光入射面）及び当該ガード３５内を透過した光が拡散される少なくとも上端部３５Ｂ及び後面３５Ｃは、表面が平坦な形状とされている。また、本実施例では、プライスレール３４により被覆されていないガード３５の前面は、内部を透過した光が前方に拡散されることを防止すると共に、当該光を後方に拡散させる反射シート（反射部材）５９が貼付されている。
【００４１】
係る構成により、当該棚３０の前端部であって、ガード３５の下側に配設された棚ＬＥＤ照明装置５０（の各ＬＥＤ素子５６）に通電することにより、各ＬＥＤ素子５６からガード３５の下端面３５Ａに向けて照射された光は、ガード３５の下端面３５Ａよりガード３５内部に入射される。
【００４２】
ガード３５内に入射された光は、当該ガード３５の端面である上端部３５Ｂや後面３５Ｃを光らせることができ、ガード３５を透過した光によって当該ガード３５の後方に位置する棚板３２上の前部に陳列される商品に向けて照射することができ、これによって当該商品のフェース面を効果的に照明することが可能となる。
【００４３】
これにより、棚３０の前端部に設けられるガード３５から照射される光によって、棚板３２上前部に載置された商品を前下方からスポットライトとして照明することが可能となるため、陳列効果の向上を図ることが可能となる。
【００４４】
また、ガード３５内に入射された光の内、ガード３５の前面に達した光は、当該前面に設けられる反射シート５９に反射し、他の面、本実施例では、ガード３５の上端部３５Ｂや後面３５Ｃより出射され、より効果的に棚板３２上を照明することが可能となる。
【００４５】
尚、図６に示すように、ガード３５の後面３５Ｃ、即ち、棚板３２上方に面する面を磨りガラス形状としたり、複数条の溝や筋、傷などを形成してもよい。このように、ガード３５の後面３５Ｃから光を拡散させる構造を施すことによって、より効果的にガード３５内に入射された棚ＬＥＤ照明装置５０からの光を棚板３２上方に向けて照射することが可能となる。
【００４６】
これにより、より一層、効果的に棚板３２上の前部に陳列される商品のフェース面を照明でき、陳列効果の向上を図ることができる。尚、ガード３５自体に光を拡散させる構造を施すものに限定されず、ガード３５の後面３５Ｃに例えば光を拡散することができる拡散シートを貼付してもよい。
【００４７】
また、図７に示すように、反射シート（反射部材）５９をガード３５の前面のみならず後面３５Ｃにも貼付してもよい。これにより、ガード３５の上端部３５Ｂのみから棚ＬＥＤ照射装置５０からの入射光を拡散させることで、特に、ガード３５の後面にまで近接して陳列される商品のフェース面を効果的に照明することが可能となる。また、棚３０の前部を強調して光らせることで、美感の向上を図ることが可能となる。
【００４８】
本実施例の棚ＬＥＤ照射装置５０は、上述したように、ガード３５の下側に格納されているため、照明装置自体が外観に露出しない構成とすることができ、ショーケース１全体の美感向上を図ることが可能となる。
【００４９】
尚、棚ＬＥＤ照明装置５０は、ガード３５下側に格納される角度を調整可能とし、これによって、棚３０上前部に載置された商品の照明の高さを調整可能なものとしてもよい。
【図面の簡単な説明】
【００５０】
【図１】本発明を適用したショーケースの斜視図である。
【図２】図１のショーケースの縦断側面図である。
【図３】開口上ＬＥＤ照明装置の概略構成図である。
【図４】棚ＬＥＤ照明装置の概略構成図である。
【図５】棚ＬＥＤ照明装置の概略側面図である。
【図６】他の実施例としての棚ＬＥＤ照射装置の概略側面図である。
【図７】他の実施例としての棚ＬＥＤ照射装置の概略側面図である。
【符号の説明】
【００５１】
１    ショーケース
２    断熱壁
１１  陳列室
１２  前面開口
３０  棚
３１  ブラケット
３２  棚板
３３  キャノピー
３４  プライスレール
３５  ガード
３５Ａ  下端面
３５Ｂ  上端部
３５Ｃ  後面
３６  前壁部
３７  連壁部
３９  後壁部
４０  開口上ＬＥＤ照明装置
４２、５７  基板
４３、５６  ＬＥＤ素子
４４、５８  取付板
４５  反射板
４６  ＬＥＤ照明部材
４７  シェード
４８  上部ＬＥＤ照明装置
５０  棚ＬＥＤ照明装置
５２  照明装置収容部
５３  段差
５４  凹所
５９  反射シート（反射部材）
【図１】
2010082115.tif 000003
【図２】
2010082115.tif 000004
【図３】
2010082115.tif 000005
【図４】
2010082115.tif 000006
【図５】
2010082115.tif 000007
【図６】
2010082115.tif 000008
【図７】
2010082115.tif 000009